(57)【要約】【課題】直管蛍光灯用灯具の給電ソケットを用い、蛍光管をＬＥＤ照明管に換装する製品は、統一規格がなく各社独自仕様であり、安全上の理由からも日本照明器具工業会より注意喚起されている（ＪＬＡ２００４）。又、日本電球工業会は、直管蛍光灯形ＬＥＤ照明の新規格（ＪＥＬ８０１）を制定し、既に大手メーカーを始め新規格品を販売しているが、任意の照射角度に変更出来ない問題や盗難の可能性は旧来品に同じく残存している上に、蛍光灯用給電ピンとの互換性を無くしたため、灯具も同時に換装する必要があり、使用者にコスト負担を強いるものである。【解決手段】ＬＥＤ照明管に給電ピンを設けず、既設給電ソケットを使用しない構造とし、ＬＥＤ照明管から給電用リード線を引き出して電源に直結し、落下防止と本体の回転を同時に可能にするＬＥＤ照明管保持具を設ける事で解決する。【選択図】図４
2013041669.tif 000002
【特許請求の範囲】
【請求項１】
ＬＥＤ照明管保持具３及び該ＬＥＤ照明管保持具３を用いた直管蛍光灯形ＬＥＤ照明１であって、ＬＥＤ照明管２ａとＬＥＤ照明管保持具３からなり、前記ＬＥＤ照明管２ａの両端に端部封止具２ｂを備え、該ＬＥＤ照明管端部封止具２ｂの端面Ｔから給電用リード線４を引き出し、前記ＬＥＤ照明管保持具３でＬＥＤ照明管２ａの少なくとも一箇所以上が前記ＬＥＤ照明管２ａの軸を中心として回転自在に把持され、前記ＬＥＤ照明管保持具３を構造駆体５に固定してなる事を特徴とする直管蛍光灯形ＬＥＤ照明２の取り付け構造。
【請求項２】
ＬＥＤ照明管保持具３であって、保持具（３１、３３）が固定部Ｋと把持部（３１ｃ、３３ｃ）からなる所定形状で構成され、前記把持部（３１ｃ、３３ｃ）が弾性体からなる事を特徴とする、請求項１記載の直管蛍光灯形ＬＥＤ照明の取り付け構造。
【請求項３】
ＬＥＤ照明管保持具３であって、保持具３２が固定部Ｋと把持部３２ｃの少なくともいずれか片方に直管挿入部Ｓを有し、該直管挿入部Ｓに連結用フック（３２ｄ、３２ｅ）が設けられている事を特徴とする、請求項１又は２に記載の直管蛍光灯形ＬＥＤ照明の取り付け構造。
【請求項４】
直管蛍光灯用灯具６に設置されたＬＥＤ照明管保持具３及び該ＬＥＤ照明管保持具３を用いた直管蛍光灯形ＬＥＤ照明１１であって、ＬＥＤ照明管２ａとＬＥＤ照明管保持具３からなり、前記ＬＥＤ照明管２ａの端部は所定の取り付け部である給電ソケット７に非固定とされ、両端にＬＥＤ照明管端部封止具２ｂを備え、端面Ｔから給電用リード線４を引き出し、前記ＬＥＤ照明管保持具３でＬＥＤ照明管２ａの少なくとも一箇所以上がＬＥＤ照明管２ａの軸を中心として回転自在に把持され、前記ＬＥＤ照明管保持具３を直管蛍光灯用灯具６に固定してなる事を特徴とする直管蛍光灯形ＬＥＤ照明２の取り付け構造。
【請求項５】
ＬＥＤ照明管保持具３及び該ＬＥＤ照明管保持具３を用いた直管蛍光灯形ＬＥＤ照明１であって、ＬＥＤ照明管２ａを所定位置の構造駆体５に取り付けるに際し、以下の手順で取り付ける事を特徴とする直管蛍光灯形ＬＥＤ照明２の取り付け方法。
１．ＬＥＤ照明管保持具３を用いてＬＥＤ照明管２ａを構造駆体５の所定位置に固定する。保持具３３は把持部３３ｃが閉塞しているため、図２の（ｂ）に示すように、先にＬＥＤ照明管２ａを保持具３３の把持部３３ｃに挿入した後、前記保持具３３を所定位置の構造駆体５に固定する。保持具３１と保持具３２の場合は、把持部（３１ｃ、３２ｃ）又は固定部Ｋが解放されているため、保持具を構造駆体５に先に固定する事も出来る。ＬＥＤ照明管保持具３の構造駆体５への固定方法は、構造駆体５の材質により、ビス止め、マグネット、接着剤、両面テープ等、ＬＥＤ照明管２ａの重量を考慮したＬＥＤ照明管保持具３の固定強度が維持出来ればいずれでもよい。
２．ＬＥＤ照明管２ａの給電用リード線４を電源に接続する。その際、直流化電源がＬＥＤ照明管２ａに内蔵されている場合はＡＣ電源に接続し、直流化電源が外付けの場合は該電源のＤＣ出力側に接続する。
以上の手順で取り付けを完了する。
【請求項６】
直管蛍光灯用灯具６に設置するＬＥＤ照明管保持具３及び該ＬＥＤ照明管保持具３を用いた直管蛍光灯形ＬＥＤ照明１１であって、ＬＥＤ照明管２ａを既設蛍光灯に取り付けるに際し、以下の手順で取り付ける事を特徴とする直管蛍光灯形ＬＥＤ照明２の取り付け方法。
１．直管蛍光灯用灯具６から蛍光管を取り外し、前記直管蛍光灯用灯具６を構造駆体５から取り外す。この時、直管蛍光灯用灯具６の各配線は維持したままとする。
２．ＬＥＤ照明管保持具３を用いてＬＥＤ照明管２ａを直管蛍光灯用灯具６の所定位置に固定する。保持具３３は把持部３３ｃが閉塞しているため、図２の（ｂ）に示すように、先にＬＥＤ照明管２ａを保持具３３の把持部３３ｃに挿入した後、前記保持具３３を所定位置の直管蛍光灯用灯具６に固定する。保持具３１と保持具３２の場合は、把持部（３１ｃ、３２ｃ）又は固定部Ｋが解放されているため、保持具を構造駆体５に先に固定する事も出来る。ＬＥＤ照明管保持具３の直管蛍光灯用灯具６への固定方法は、ビス止め、マグネット、接着剤、両面テープ等、ＬＥＤ照明管２ａの重量を考慮したＬＥＤ照明管保持具３の固定強度が維持出来ればいずれでもよい。
３．直管蛍光灯用灯具６に給電用リード線４を通す穴を開け、該リード線４を電源に接続する。その際、直流化電源がＬＥＤ照明管２ａに内蔵されている場合は、蛍光灯用の配線は維持したまま、ＡＣ電源に並列接続する。直流化電源が外付けの場合は、該直流化電源を直管蛍光灯用灯具６の天井側内部に取り付け、蛍光灯用の配線は維持したまま、前記直流化電源のＡＣ給電リード線をＡＣ電源に並列接続する。その後、ＤＣ出力リード線をＬＥＤ照明管２ａの給電用リード線４に接続する。
４．直管蛍光灯用灯具６を構造駆体５に取り付け戻す。
以上の手順で取り付けを完了する。
【発明の詳細な説明】
【技術分野】
【０００１】
本発明は直管蛍光灯形ＬＥＤ照明の保持具とその取り付け構造及びその取り付け方法に関する。
【背景技術】
【０００２】
従来の直管蛍光灯形ＬＥＤ照明の多くは、既設蛍光灯の蛍光管をＬＥＤ照明管に換装することを目的とし、図６の様に蛍光灯互換の給電ピン１３を両端に設けて、直管蛍光灯用灯具６の給電ソケット７に挿入して使用するものであるが、ＬＥＤ照明管は蛍光管より概して重く、材質や駆動方法もメーカー間で異なるため、以下の問題を呈している。
ＬＥＤ照明管１２ａは蛍光管より重いため、給電ソケット７には過負荷となり、該ソケットが経年劣化している場合には、更にその影響が懸念される。次に、多くのＬＥＤ照明管の外郭材料はプラスチック材料である事から伸縮や撓みを生じ、美観を損ねるだけでなく、接触不良からの不灯や地震等による震動落下の危険性がある。又、大きく分けて、既設蛍光灯の安定器を介する場合と介さない場合、ＬＥＤ照明管１２ａ内に直流化電源を内蔵している場合と、灯具６内に収めるべく外付け電源の場合があるにも拘らず、給電ピン１３を用いて給電ソケット７に取り付ける方法は画一であるため、他メーカー品に換装される事や、元の蛍光管に付け戻される可能性があるが、その結果生ずる恐れのある問題の責任所在は明確になっていない。そのため、専用灯具をセットにした直管蛍光灯形ＬＥＤ照明も販売されてはいるが、他メーカー品や蛍光灯に換装される可能性は同じであり、既設灯具からの換装の場合はコスト増に加え、前記既設灯具の廃棄処理の問題も残る。更に、逆富士形灯具等に従来の直管蛍光灯形ＬＥＤ照明を取り付けた場合、図７の様に光の中心方向が斜めになり、望ましい光の方向と照度が得られない問題が発生する。
【先行技術文献】
【特許文献】
【０００３】
【特許文献１】特開２０１０−７６７４９号公報
【特許文献２】特開２０１１−２８９７１号公報
【発明の概要】
【発明が解決しようとする課題】
【０００４】
現行方式には主に以下の問題がある。
１）ＬＥＤ照明管は従来の蛍光管に比べてかなり重く、蛍光灯用の給電ソケットへの負担が大きい事と、ＬＥＤ照明管の構造上の問題から、直管の撓みや伸縮を生じ易い上に、給電ソケット自体の劣化や地震その他の振動により、ＬＥＤ照明管と給電ソケットとの嵌合が不十分になり、不灯や落下の原因になり易い。
２）従来の直管蛍光灯形ＬＥＤ照明は、配線方法を含め、個々の仕様に互換性がないにも拘わらず、蛍光灯用灯具の給電ソケットを使用すべく画一形状をしているために、容易に他メーカー品に換装出来る事と、旧来の蛍光管に付け戻される可能性もあり、その結果による不具合の発生が懸念される。ＬＥＤ照明管の専用灯具をセットにした場合でも、前記の問題は解決されない。
３）従来の直管蛍光灯形ＬＥＤ照明の多くは、蛍光灯用の安定器を介さず、ＡＣ電源を給電ソケットに直結配線変更するか、直流化電源を外に配して、給電ソケットにＤＣ配線変更する仕様となっており、配線変更作業が面倒である。
４）ＬＥＤ照明は蛍光灯に比べて照射範囲が狭く、灯具や給電ソケットの種類によっては望ましい照射方向が得られない場合がある。
そこで、本発明はこれ等の問題を解決する事を課題とする。
【０００５】
先行技術文献として、特許文献１（特開２０１０−７６７４９）及び特許文献２（特開２０１１−２８９７１）がある。
しかしながら、特開２０１０−７６７４９号公報は、ＬＥＤ照明管の略中央を筺体で固定する事から、光の照射方向を変えられない構造となっている。
次に特開２０１１−２８９７１号公報は、落下防止具が柔軟な伸縮構造であるため、地震等の振動にＬＥＤ照明管が共振し、給電ソケットへのストレスが懸念される事と、前記給電ソケットを使用する事から、光の照射方向は変えられない。
【課題を解決するための手段】
【０００６】
上記課題を解決するためになされた本願発明の請求項１は、ＬＥＤ照明管保持具３及び該ＬＥＤ照明管保持具３を用いた直管蛍光灯形ＬＥＤ照明１であって、ＬＥＤ照明管２ａとＬＥＤ照明管保持具３からなり、前記ＬＥＤ照明管２ａの両端に端部封止具２ｂを備え、該ＬＥＤ照明管端部封止具２ｂの端面Ｔから給電用リード線４を引き出し、前記ＬＥＤ照明管保持具３でＬＥＤ照明管２ａの少なくとも一箇所以上が前記ＬＥＤ照明管２ａの軸を中心として回転自在に把持され、前記ＬＥＤ照明管保持具３を構造駆体５に固定してなる事を特徴とする直管蛍光灯形ＬＥＤ照明２の取り付け構造である。
係る構成によれば、一定の取り付け強度を有した構造駆体であれば、天井面、壁面、斜め構造物にも容易にＬＥＤ照明管２ａを取り付ける事が出来る。又、使用者がＬＥＤ照明管２ａを回転させて、光の照射方向を任意に変更する事が出来る。又、ＬＥＤ照明管２ａの撓み、落下の問題を併せて防止し、ＬＥＤ照明管２ａを簡易構造にする事で、防水（防滴、防湿、防錆）、漏電対策を考慮し易くなる効果がある。
【０００７】
上記課題を解決するためになされた本願発明の請求項２は、ＬＥＤ照明管保持具３であって、保持具（３１、３３）が固定部Ｋと把持部（３１ｃ、３３ｃ）からなる所定形状で構成され、前記把持部（３１ｃ、３３ｃ）が弾性体からなる事を特徴とする、請求項１記載の直管蛍光灯形ＬＥＤ照明の取り付け構造である。
係る構成によれば、保持具（３１、３３）の把持部（３１ｃ、３３ｃ）、又は固定部Ｋを開く事により、ＬＥＤ照明管２ａの挿入を容易にする。その後、ＬＥＤ照明管２ａを回転させて光の適正な照射方向を選び保持具（３１、３３）で把持させた後には、把持部（３１ｃ、３２ｃ）の弾性によって前記ＬＥＤ照明管２ａは保持固定され、容易に滑って回転しない効果がある。
【０００８】
上記課題を解決するためになされた本願発明の請求項３は、ＬＥＤ照明管保持具３であって、前記ＬＥＤ照明管保持具３が固定部Ｋと把持部３２ｃの少なくともいずれか片方に直管挿入部Ｓを有し、該直管挿入部Ｓに連結用フック（３２ｄ、３２ｅ）が設けられている事を特徴とする、請求項１又は２に記載の直管蛍光灯形ＬＥＤ照明の取り付け構造である。
係る構成によれば、保持具３２の直管挿入部ＳからＬＥＤ照明管２ａの挿入が容易であり、前記ＬＥＤ照明管２ａを適正方向に回転させた後に下部のフック部３２ｄと上部のフック部３２ｅを連結させて前記ＬＥＤ照明管２ａを把持させた後には、把持部３２ｃの弾性によって前記ＬＥＤ照明管２ａは保持固定され、容易に滑って回転しない効果がある。
【０００９】
上記課題を解決するためになされた本願発明の請求項４は、直管蛍光灯用灯具６に設置されたＬＥＤ照明管保持具３及び該ＬＥＤ照明管保持具３を用いた直管蛍光灯形ＬＥＤ照明１１であって、ＬＥＤ照明管２ａとＬＥＤ照明管保持具３からなり、前記ＬＥＤ照明管２ａの端部は所定の取り付け部である給電ソケット７に非固定とされ、両端にＬＥＤ照明管端部封止具２ｂを備え、端面Ｔから給電用リード線４を引き出し、前記ＬＥＤ照明管保持具３でＬＥＤ照明管２ａの少なくとも一箇所以上がＬＥＤ照明管２ａの軸を中心として回転自在に把持され、前記ＬＥＤ照明管保持具３を直管蛍光灯用灯具６に固定してなる事を特徴とする直管蛍光灯形ＬＥＤ照明２の取り付け構造である。
係る構成によれば、使用者がＬＥＤ照明管２ａを回転させて光の照射方向を任意に変更する事が出来る。又、ＬＥＤ照明管の撓み、落下、盗難の問題を防止し、給電ピン１３を設けない事により、ＬＥＤ照明管２ａの両端を端部封止具２ｂで封止する事で、防水（防滴、防湿、防錆）、漏電対策を考慮し易くなり、屋外使用の街路灯や看板照明、特殊環境への展開を容易にすると共に、直管蛍光灯用灯具６の配線変更工事も簡易にする効果がある。
【００１０】
上記課題を解決するためになされた本願発明の請求項５は、ＬＥＤ照明管保持具３及び該ＬＥＤ照明管保持具３を用いた直管蛍光灯形ＬＥＤ照明１であって、ＬＥＤ照明管２ａを所定位置の構造駆体５に取り付けるに際し、以下の手順で取り付ける事を特徴とする直管蛍光灯形ＬＥＤ照明２の取り付け方法である。
１．ＬＥＤ照明管保持具３を用いてＬＥＤ照明管２ａを構造駆体５の所定位置に固定する。保持具３３は把持部３３ｃが閉塞しているため、図２の（ｂ）に示すように、先にＬＥＤ照明管２ａを保持具３３の把持部３３ｃに挿入した後、前記保持具３３を所定位置の構造駆体５に固定する。保持具３１と保持具３２の場合は、把持部（３１ｃ、３２ｃ）又は固定部Ｋが解放されているため、保持具を構造駆体５に先に固定する事も出来る。ＬＥＤ照明管保持具３の構造駆体５への固定方法は、構造駆体５の材質により、ビス止め、マグネット、接着剤、両面テープ等、ＬＥＤ照明管２ａの重量を考慮したＬＥＤ照明管保持具３の固定強度が維持出来ればいずれでもよい。
２．ＬＥＤ照明管２ａの給電用リード線４を電源に接続する。その際、直流化電源がＬＥＤ照明管２ａに内蔵されている場合はＡＣ電源に接続し、直流化電源が外付けの場合は該電源のＤＣ出力側に接続する。
以上の手順で取り付けを完了する。
係る手順によれば、従来の直管蛍光灯形ＬＥＤ照明１２に比して、直管蛍光灯形ＬＥＤ照明２を天井面や壁面の構造駆体５に省スペースで、作業性よく取り付けられる効果がある。
【００１１】
上記課題を解決するためになされた本願発明の請求項６は、直管蛍光灯用灯具６に設置するＬＥＤ照明管保持具３及び該ＬＥＤ照明管保持具３を用いた直管蛍光灯形ＬＥＤ照明１１であって、ＬＥＤ照明管２ａを既設蛍光灯に取り付けるに際し、以下の手順で取り付ける事を特徴とする直管蛍光灯形ＬＥＤ照明２の取り付け方法である。
１．直管蛍光灯用灯具６から蛍光管を取り外し、前記直管蛍光灯用灯具６を構造駆体５から取り外す。この時、直管蛍光灯用灯具６の各配線は維持したままとする。
２．ＬＥＤ照明管保持具３を用いてＬＥＤ照明管２ａを直管蛍光灯用灯具６の所定位置に固定する。保持具３３は把持部３３ｃが閉塞しているため、図２の（ｂ）に示すように、先にＬＥＤ照明管２ａを保持具３３の把持部３３ｃに挿入した後、前記保持具３３を所定位置の直管蛍光灯用灯具６に固定する。保持具３１と保持具３２の場合は、把持部（３１ｃ、３２ｃ）又は固定部Ｋが解放されているため、保持具を構造駆体５に先に固定する事も出来る。ＬＥＤ照明管保持具３の直管蛍光灯用灯具６への固定方法は、ビス止め、マグネット、接着剤、両面テープ等、ＬＥＤ照明管２ａの重量を考慮したＬＥＤ照明管保持具３の固定強度が維持出来ればいずれでもよい。
３．直管蛍光灯用灯具６に給電用リード線４を通す穴を開け、該リード線４を電源に接続する。その際、直流化電源がＬＥＤ照明管２ａに内蔵されている場合は、蛍光灯用の配線は維持したまま、ＡＣ電源に並列接続する。直流化電源が外付けの場合は、該直流化電源を直管蛍光灯用灯具６の天井側内部に取り付け、蛍光灯用の配線は維持したまま、前記直流化電源のＡＣ給電リード線をＡＣ電源に並列接続する。その後、ＤＣ出力リード線をＬＥＤ照明管２ａの給電用リード線４に接続する。
４．直管蛍光灯用灯具６を構造駆体５に取り付け戻す。
以上の手順で取り付けを完了する。
係る手順によれば、従来の直管蛍光灯形ＬＥＤ照明１２ａの換装作業に比して、安全で作業性よく交換作業が出来る効果がある。
【発明の効果】
【００１２】
本発明の請求項１によれば、一定の取り付け強度を有した構造駆体であれば、天井面、壁面、斜め構造物にも容易にＬＥＤ照明管２ａを取り付ける事が出来る。又、使用者がＬＥＤ照明管２ａを回転させて、光の照射方向を任意に変更する事が出来る。又、ＬＥＤ照明管２ａの撓み、落下の問題を併せて防止し、ＬＥＤ照明管２ａを簡易構造にする事で、防水（防滴、防湿、防錆）、漏電対策を考慮し易くなる効果がある。
【００１３】
本発明の請求項２によれば、保持具（３１、３３）の把持部（３１ｃ、３３ｃ）、又は固定部Ｋを開く事により、ＬＥＤ照明管２ａの挿入を容易にする。その後、ＬＥＤ照明管２ａを回転させて光の適正な照射方向を選び保持具（３１、３３）で把持させた後には、把持部（３１ｃ、３２ｃ）の弾性によって前記ＬＥＤ照明管２ａは保持固定され、容易に滑って回転しない効果がある。
【００１４】
本発明の請求項３によれば、保持具３２の直管挿入部ＳからＬＥＤ照明管２ａの挿入が容易であり、前記ＬＥＤ照明管２ａを適正方向に回転させた後に下部のフック部３２ｄと上部のフック部３２ｅを連結させて前記ＬＥＤ照明管２ａを把持させた後には、把持部３２ｃの弾性によって前記ＬＥＤ照明管２ａは保持固定され、容易に滑って回転しない効果がある。
【００１５】
本発明の請求項４によれば、使用者がＬＥＤ照明管２ａを回転させて光の照射方向を任意に変更する事が出来る。又、ＬＥＤ照明管の撓み、落下、盗難の問題を防止し、給電ピン１３を設けない事により、ＬＥＤ照明管２ａの両端を端部封止具２ｂで封止する事で、防水（防滴、防湿、防錆）、漏電対策を考慮し易くなり、屋外使用の街路灯や看板照明、特殊環境への展開を容易にすると共に、直管蛍光灯用灯具６の配線変更工事も簡易にする効果がある。
【００１６】
本発明の請求項５によれば、従来の直管蛍光灯形ＬＥＤ照明１２に比して、直管蛍光灯形ＬＥＤ照明２を天井面や壁面の構造駆体５に省スペースで、作業性よく取り付けられる効果がある。
【００１７】
本発明の請求項６によれば、従来の直管蛍光灯形ＬＥＤ照明１２ａの換装作業に比して、安全で低コストに交換作業が出来る効果がある。
【図面の簡単な説明】
【００１８】
【図１】図１は本発明の第一実施形態を示す側面図であり、（ａ）はＬＥＤ照明管２ａの一箇所をＬＥＤ照明管保持具３で保持し、天井面の構造駆体５に設置した場合、（ｂ）は同じく二箇所を保持した場合、（ｃ）は（ａ）と同一方法で垂直壁面等の構造駆体５に設置した場合、（ｄ）は同じく斜め構造物の構造駆体５に設置した場合である。
【図２】図２の（ａ）はＬＥＤ照明管２ａの両端から給電用リード線４を引き出す場合であり、図２の（ｂ）は前記ＬＥＤ照明管２ａの片面のみから前記リード線４を引き出し、ＬＥＤ照明管保持具３を装着した斜視図である。
【図３】図３はＬＥＤ照明管と組み合わせるＬＥＤ照明管保持具３の斜視図であり、３１、３２、３３は前記ＬＥＤ照明管保持具３の事例である。
【図４】図４は本発明を直管蛍光灯用灯具６に設置した第二実施形態を示す側面図である。
【図５】図５は逆富士形蛍光用灯具に本発明方式によるＬＥＤ照明管を設置した断面図であり、その光の照射方向を直下方向に変化させたイメージ図である。
【図６】図６は従来の直管蛍光灯形ＬＥＤ照明１２ａの側面図と、該直管蛍光灯形ＬＥＤ照明を直管蛍光灯用灯具６に設置した側面図である。
【図７】図７は従来の直管蛍光灯形ＬＥＤ照明１２ａを逆富士形蛍光灯用灯具に設置した断面図であり、その光の照射方向のイメージ図である。
【発明を実施するための形態】
【００１９】
本願発明の実施形態を図面に従って、以下に詳しく述べる。
図１は、本発明の第一実施形態であって、天井や壁面、斜め構造物等、一定の強度を有した構造駆体５に簡便に取り付け可能な、請求項１に記載の直管蛍光灯形ＬＥＤ照明２の取り付け構造である。本発明はＬＥＤ照明管２ａとＬＥＤ照明管保持具３からなり、前記ＬＥＤ照明管２ａが前記ＬＥＤ照明管保持具３で少なくとも一箇所以上、直管の軸を中心として回転自在に保持されてなることを特徴とする直管蛍光灯形ＬＥＤ照明取り付け構造である。
【００２０】
図１の（ａ）（ｂ）は天井面、（ｃ）は垂直壁面、（ｄ）は斜め構造物への取り付け事例を示す。又、図１の（ａ）（ｃ）（ｄ）はＬＥＤ照明管保持具３をＬＥＤ照明管２ａの略中央で一箇所使用の場合、（ｂ）は同じく二箇所使用した場合であるが、ＬＥＤ照明管保持具３を一箇所使用の場合は、ＬＥＤ照明管２ａの保持力と安定性を確保すべく該ＬＥＤ照明管保持具３の奥行き寸法を長くする方がよい。又その際、光が遮蔽されないように下面が解放された図３の保持具３１に類する形状を用いるか、保持具３２や保持具３３の形状であれば透明樹脂製を用いた方が良い。
【００２１】
ＬＥＤ照明管保持具３の構造駆体５への固定方法は、前記ＬＥＤ照明管保持具３の上部水平片（３１ａ、３２ａ、３３ａ）をビス止め、両面テープ、マグネット、接着剤のいずれでも、構造駆体５の材質とＬＥＤ照明管２ａの重量を考慮した固定力が維持できればよい。一例として、図３に上部水平片（３１ａ、３２ａ、３３ａ）にビス穴が設けられている場合を例示する。この場合、ビス止めの作業性が向上する。
【００２２】
ＬＥＤ照明管２ａの両端を端部封止具２ｂで封止し、給電用リード線４を端面Ｔから引き出し電源に接続する。この時、直流化電源をＬＥＤ照明管２ａに内蔵する場合は、前記リード線４をＡＣ電源に直結し、前記電源を外付けにする場合は該電源のＤＣ出力側に接続する。
【００２３】
図２は、本発明の直管蛍光灯形ＬＥＤ照明２の構造を示す。図２の（ａ）は、ＬＥＤ照明管２ａの両端を端部封止具２ｂで封じ、端面Ｔの左右両面から給電用リード線４を１本ずつ引き出した斜視図であり、図２の（ｂ）は、前記端面Ｔの片面から給電用リード線４を２本引き出し、ＬＥＤ照明管保持具３をＬＥＤ照明管の二箇所に設置した場合の斜視図を示す。
【００２４】
本発明は図２の構造に鑑み、ＬＥＤ照明管２ａを密閉構造とする事が容易であり、直管蛍光灯形ＬＥＤ照明２として、防水（防滴、防湿、防錆）、漏電対策を考慮し易くなり、屋外使用の街路灯や看板照明、特殊環境への展開を容易にする。対して従来の直管蛍光灯形ＬＥＤ照明１２ａで防水や漏電対策を講ずるためには、直管蛍光灯用灯具６を含む直管蛍光灯形ＬＥＤ照明１２全体を密閉構造にする必要があるため、本発明での密閉構造に比し、体積増、重量増、光束減、コスト増となる。又、重装になる事で内部に熱が籠り、直管蛍光灯形ＬＥＤ照明を構成しているＬＥＤ素子や、各電子部品の劣化を早める事になる。
【００２５】
図３は、ＬＥＤ照明管２ａを保持しながら回転させるためのＬＥＤ照明管保持具３の事例３１、３２、３３の斜視図である。いずれも請求項１又は２記載の直管蛍光灯形ＬＥＤ照明の取り付け構造のためのＬＥＤ照明管保持具３であって、その材質は、堅牢で保持力が維持出来れば金属でもプラスチック樹脂でもよいが、光の取出しに鑑みると透明プラスチック樹脂製が望ましい。
【００２６】
保持具３１、３２、３３は、いずれも一枚の繋がった板からなり、それぞれの直管把持部（３１ｃ、３２ｃ、３３ｃ）がＬＥＤ照明管２ａを把持するのに十分な弾性を持ち、ＬＥＤ照明管２ａが容易に滑って回転しないように、前記把持部（３１ｃ、３２ｃ、３３ｃ）の内面に滑り止めのための凹凸部を形成するか、樹脂コーティング等を施して摩擦力を増大させる事が望ましい。
【００２７】
ＬＥＤ照明管保持具３の把持部（３１ｃ、３２ｃ、３３ｃ）は、保持具３１や３２のように把持部（３１ｃ、３２ｃ）が一部開口していても、保持具３３の把持部３３ｃのように閉塞していても、ＬＥＤ照明管２ａの保持力が維持出来ればよい。
【００２８】
保持具３１は把持部３１ｃが開口しているため、ＬＥＤ照明管２ａを挿入把持させる事が容易であり、保持具３３は把持部３３ｃが閉塞しているため、前記ＬＥＤ照明管２ａの保持が確実である。又、保持具３２は、直管挿入部ＳからＬＥＤ照明管２ａを挿入後、下部のフック部３２ｄと上部のフック部３２ｅを引っ掛けて連結固定する構造であり、ＬＥＤ照明管２ａを把持させる事が容易であると同時に、前記ＬＥＤ照明管２ａの保持が確実である。
【００２９】
作業手順として、保持具３３は図２の（ｂ）に示すように、先にＬＥＤ照明管２ａを前記保持具３３に通した後に直管蛍光灯用灯具６に固定するが、保持具３１と３２は把持部（３１ｃ、３２ｃ）が開口しているため、前記保持具（３１、３２）を既設灯具６に取り付けた後でもＬＥＤ照明管２ａを取り付ける事が出来る。
【００３０】
ＬＥＤ照明管保持具３の直管蛍光灯用灯具６への固定方法は、該ＬＥＤ照明管保持具３の上部水平片（３１ａ、３２ａ、３３ａ）を直管蛍光灯用灯具６下面にビス止め、両面テープ、マグネット、接着剤のいずれでもＬＥＤ照明管２ａの重量を考慮した固定力が維持できればよい。一例として、図３に上部水平片（３１ａ、３２ａ、３３ａ）にビス穴が設けられている場合を例示する。この場合、ビス止めの作業性が向上する。
【００３１】
図４は、本発明の第二実施形態であって、取り付け部が既設の直管蛍光灯用直管蛍光灯用灯具６である事を特徴とする、直管蛍光灯形ＬＥＤ照明取り付け構造２を示す。本発明はＬＥＤ照明管２ａとＬＥＤ照明管保持具３からなり、前記ＬＥＤ照明管２ａの端部は所定の取り付け部に非固定とされ、前記ＬＥＤ照明管２ａが前記ＬＥＤ照明管保持具３で少なくとも一箇所以上、直管の軸を中心として回転自在に把持されてなる事を特徴とする直管蛍光灯形ＬＥＤ照明取り付け構造である。
【００３２】
ＬＥＤ照明管の２ａは既設直管蛍光灯用灯具６の給電ソケット７を用いず、両端を端部封止具２ｂで封じ、端面Ｔから給電用リード線４を引き出し、該給電用リード線４を直管蛍光灯用灯具６に給電用リード線４を通す穴を開け、該リード線４を電源に接続する。この時、直流化電源をＬＥＤ照明管２ａに内蔵する場合は、前記給電用リード線４をＡＣ電源に直結し、前記電源を外付けにする場合は該電源のＤＣ出力側に接続する。
【００３３】
保持具（３１、３２、３３）夫々の垂下片（３１ｂ、３２ｂ、３３ｂ）の高さは、既設給電ソケットの取り付け高さに依存しないため、任意の寸法でよく、即ち図４の寸法８を任意とする事が出来る。ＬＥＤ照明管は蛍光灯に比し重く、撓み易い事から、ＬＥＤ照明管保持具３を取り付ける事が望ましいが、灯具によって給電ソケット形状が多岐に亘り、８に当たる寸法が異なるために、同梱標準部品とする事が出来ない。本発明によればＬＥＤ照明管保持具３の同一規格寸法品をＬＥＤ照明管に同梱標準部品として使用する事が出来る。
【００３４】
ＬＥＤ照明管２ａの全長寸法９は、熱膨張によって既設給電ソケット７に当たらないように寸法設計する必要がある。即ち前記全長寸法９は、蛍光管の規定寸法に準ずるが、プラスチック製の外郭構造のため、例えば１１０Ｗ形蛍光灯のような長尺品（約２４０ｃｍ）では、熱膨張による全長の伸びが無視出来ないと考えられるため、給電ソケット７の端面間距離１０に比して熱膨張率を考慮した短めの寸法設計が望ましい。
【００３５】
本発明は給電ソケット７を使用しないため、電気配線次第で元の蛍光管に付け戻す事が可能になる。即ち、直管蛍光灯用灯具６の安定器や前記給電ソケット７への配線は据え置いたままとし、ＬＥＤ照明管２ａに電源を内蔵する場合には給電用リード線４をＡＣ電源に並列接続し、前記ＬＥＤ照明管２ａの外部に電源を設ける場合も、安定器や給電ソケット７への配線は据え置いたままにして、前記電源のＡＣ側をＡＣ電源に並列接続し、ＤＣ側を給電用リード線４に接続する事で、ＬＥＤ照明側のＡＣ電源回路を切断して、直管蛍光灯形ＬＥＤ照明１１を取り外せば、元の蛍光管に換装する事が出来る。
【００３６】
本発明は、給電ソケット７を使用しない構造上、誤って他メーカー品や蛍光灯に付け戻される可能性がなく、保持具３で固定され、給電用リード線が直管蛍光灯用灯具６に繋がっているため、盗難の可能性も低い。
【００３７】
本発明を実施する事により、図５のイメージ図のように、ＬＥＤ照明管２ａを回転させる事が出来、任意に光の向きを変える事が出来る。
【００３８】
本発明は給電用ピン１３を設けず、直管蛍光灯用灯具６の安定器や給電ソケット７の配線変更が不要であり、落下防止対策を兼ねる構造となっているため、従来方式よりも簡易且つ低コストで蛍光管からＬＥＤ照明管への換装が可能になる。
【００３９】
従来方式では、直管蛍光灯用灯具６の安定器や給電ソケット７の配線変更が面倒である事と、給電ソケットの経年劣化の問題があるため、直管蛍光灯形ＬＥＤ照明１２ａを専用灯具とセットにしたものも販売されてはいる。しかしながら、専用灯具をセットにしたコスト増は元より、前記専用灯具と既設直管蛍光灯用灯具とのサイズやデザイン不一致と、前記既設直管蛍光灯用灯具の撤去費用や廃棄物処理の問題が発生するが、環境に優しいとは言えず、本発明はそのいずれも解決する。
【００４０】
本発明は、例えば１１０Ｗ形蛍光灯（約２４０ｃｍ）に対して、４０Ｗ形蛍光灯（約１２０ｃｍ）相当のＬＥＤ照明管２ａを２本直列での換装が出来る。その際、本発明のＬＥＤ照明管２ａは個々に光の照射方向を変更出来るため、その場の環境に応じた照明効果を得る事が出来る。又、前記１１０Ｗ形蛍光灯サイズのＬＥＤ照明管２ａに換装する場合は、ＬＥＤ照明管保持具３の奥行寸法を長くするか、前記ＬＥＤ照明管保持具３の数を増やす事により、ＬＥＤ照明管２ａの撓み防止と落下防止が容易に対応可能である。
【００４１】
本発明の第一実施形態の取り付け手順を以下に説明する。
ＬＥＤ照明管２ａを所定位置の構造駆体に取り付けるに際し、以下の手順で取り付ける。
１．ＬＥＤ照明管保持具３を用いてＬＥＤ照明管２ａを構造駆体５の所定位置に固定する。保持具３３は把持部３３ｃが閉塞しているため、図２の（ｂ）に示すように、先にＬＥＤ照明管２ａを保持具３３の把持部３３ｃに挿入した後、前記保持具３３を所定位置の構造駆体５に固定する。保持具３１と保持具３２の場合は、把持部（３１ｃ、３２ｃ）又は固定部Ｋが解放されているため、保持具を構造駆体５に先に固定する事も出来る。ＬＥＤ照明管保持具３の構造駆体５への固定方法は、構造駆体５の材質により、ビス止め、マグネット、接着剤、両面テープ等、ＬＥＤ照明管２ａの重量を考慮したＬＥＤ照明管保持具３の固定強度が維持出来ればいずれでもよい。
２．ＬＥＤ照明管２ａの給電用リード線４を電源に接続する。その際、直流化電源がＬＥＤ照明管２ａに内蔵されている場合はＡＣ電源に接続し、直流化電源が外付けの場合は該電源のＤＣ出力側に接続する。
【００４２】
本発明の第二実施形態の取り付け手順を以下に説明する。
ＬＥＤ照明管２ａを既設蛍光灯に取り付けるに際し、以下の手順で取り付ける。
１．直管蛍光灯用灯具６から蛍光管を取り外し、前記直管蛍光灯用灯具６を構造駆体５から取り外す。この時、直管蛍光灯用灯具６の各配線は維持したままとする。
２．ＬＥＤ照明管保持具３を用いてＬＥＤ照明管２ａを直管蛍光灯用灯具６の所定位置に固定する。保持具３３は把持部３３ｃが閉塞しているため、図２の（ｂ）に示すように、先にＬＥＤ照明管２ａを保持具３３の把持部３３ｃに挿入した後、前記保持具３３を所定位置の直管蛍光灯用灯具６に固定する。保持具３１と保持具３２の場合は、把持部（３１ｃ、３２ｃ）又は固定部Ｋが解放されているため、保持具を構造駆体５に先に固定する事も出来る。ＬＥＤ照明管保持具３の直管蛍光灯用灯具６への固定方法は、ビス止め、マグネット、接着剤、両面テープ等、ＬＥＤ照明管保持具３の固定強度が維持出来ればいずれでもよい。
３．直管蛍光灯用灯具６に給電用リード線４を通す穴を開け、該リード線４を電源に接続する。その際、直流化電源がＬＥＤ照明管２ａに内蔵されている場合は、蛍光灯用の配線は維持したまま、ＡＣ電源に並列接続する。直流化電源が外付けの場合は、該直流化電源を直管蛍光灯用灯具６の天井側内部に取り付け、蛍光灯用の配線は維持したまま、前記直流化電源のＡＣ給電リード線をＡＣ電源に並列接続する。その後、ＤＣ出力リード線をＬＥＤ照明管２ａの給電用リード線４に接続する。
４．直管蛍光灯用灯具６を構造駆体５に取り付け戻す。
【符号の説明】
【００４３】
１  実施形態１におけるＬＥＤ照明管保持具及び該ＬＥＤ照明管保持具を用いた直管蛍光灯形ＬＥＤ照明
２  直管蛍光灯形ＬＥＤ照明
２ａ  ＬＥＤ照明管
２ｂ  ＬＥＤ照明管端部封止具
Ｔ  端面
３  ＬＥＤ照明管保持具
３１  保持具
３１ａ  灯具や構造駆体に固定するための上部水平片
３１ｂ  垂下片
Ｋ  固定部
３１ｃ  把持部
３１ｄ  ビス穴
３２  保持具
３２ａ  灯具や構造駆体に固定するための上部水平片
３２ｂ  垂下片
Ｋ  固定部
３２ｃ  把持部
３２ｄ  片側下部のフック部
３２ｅ  片側上部のフック部
３２ｆ  ビス穴
Ｓ  直管挿入部
３３  保持具
３３ａ  灯具や構造駆体に固定するための上部水平片
３３ｂ  垂下片
Ｋ  固定部
３３ｃ  把持部
３３ｄ  ビス穴
Ｓ  直管挿入部
４  給電用リード線
５  構造駆体
６  直管蛍光灯用灯具
７  直管蛍光灯用灯具の給電ソケット
８  ＬＥＤ照明管中心位置からＬＥＤ照明管保持具の灯具固定面までの寸法
９  ＬＥＤ照明管全長
１０  直管蛍光灯用、給電ソケットの端面間距離
１１  実施形態２におけるＬＥＤ照明管保持具３及び該ＬＥＤ照明管保持具３を用いた直管蛍光灯形ＬＥＤ照明
１２  蛍光灯用灯具の給電ソケットに取り付けた従来の直管蛍光灯形ＬＥＤ照明
１２ａ  従来の直管蛍光灯形ＬＥＤ照明
１３  従来の直管蛍光灯形ＬＥＤ照明の給電ピン
【図１】
2013041669.tif 000003
【図２】
2013041669.tif 000004
【図３】
2013041669.tif 000005
【図４】
2013041669.tif 000006
【図５】
2013041669.tif 000007
【図６】
2013041669.tif 000008
【図７】
2013041669.tif 000009
【手続補正書】
【提出日】平成23年9月15日(2011.9.15)
【手続補正１】
【補正対象書類名】明細書
【補正対象項目名】０００３
【補正方法】変更
【補正の内容】
【０００３】
【特許文献１】特開２０１１−７６７４９号公報
【特許文献２】特開２０１１−２８９７１号公報
【手続補正２】
【補正対象書類名】明細書
【補正対象項目名】０００５
【補正方法】変更
【補正の内容】
【０００５】
先行技術文献として、特許文献１（特開２０１１−７６７４９）及び特許文献２（特開２０１１−２８９７１）がある。
しかしながら、特開２０１１−７６７４９号公報は、ＬＥＤ照明管の略中央を筺体で固定する事から、光の照射方向を変えられない構造となっている。
次に特開２０１１−２８９７１号公報は、落下防止具が柔軟な伸縮構造であるため、地震等の震動にＬＥＤ照明管が共振し、給電ソケットへのストレスが懸念される事と、前記給電ソケットを使用する事から、光の照射方向は変えられない。